(57)【要約】【課題】本発明は、生体の周りを取り囲むことなく、ストレスを受ける生体の近傍に設置するだけで、ストレスを低減し、精神を安定させる用具を提供することを課題とする。【解決手段】２個のダイオードが、アノード同士及びカソード同士で導電体により並列接続されたダイオードユニット、及び／又は、２個のダイオードが、一方のアノードと他方のカソード同士で導電体により逆並列接続されたダイオードユニットを備え、望ましくは当該ダイオードユニットの、アノード同士、カソード同士、及び／又はアノードとカソードとの接続部から導電体を突出させたことを特徴とする精神安定用具を提供することにより、前記課題を解決する。【選択図】図１
2009022350.tif 000002
【特許請求の範囲】
【請求項１】
２個のダイオードが、カソード同士及びアノード同士で導電体により並列接続されたダイオードユニット、及び／又は２個のダイオードが、一方のカソード側と他方のアノード同士で導電体により逆並列接続されているダイオードユニットを備えてなる精神安定用具。
【請求項２】
ダイオードユニットが、アノード同士、カソード同士、及び／又はアノードとカソードとの接続部から導電体を突出させた請求項１記載の精神安定用具。
【請求項３】
請求項１又は２のいずれかに記載の精神安定用具を、更に絶縁体材料で封入した精神安定用具。
【請求項４】
請求項１乃至３のいずれかに記載の精神安定用具を取り付けた生体近傍で使用されるアクセサリー。
【請求項５】
ペンダント、ネクタイピン、バッジ、及び名札から選ばれる請求項４記載のアクセサリー。
【請求項６】
請求項１乃至３のいずれかに記載の精神安定用具を取り付けた枕または敷布団を含む寝具類。
【発明の詳細な説明】
【技術分野】
【０００１】
本発明はダイオードを用いる精神安定用具に関するものであり、とりわけ、２個のダイオードがアノード同士及びカソード同士で導電体により並列接続されたダイオードユニット、及び／又は、２個のダイオードが一方のアノードと他方のカソード同士で導電体により逆並列接続されたダイオードユニットを備え、望ましくは当該ダイオードユニットのアノード同士、カソード同士、及び／又はカソードとアノードとの接続部より導電体を突出させたことを特徴とする精神安定用具に関するものである。
【背景技術】
【０００２】
錯綜した現代社会にあっては、社会構造の変化に伴う職場・地域社会での人間関係における緊張、抑圧、不安、不満、怒り、苛立ちなどの増大から受ける精神ストレス、大気汚染や水質汚染など環境の悪化から受けるストレス、および携帯電話、各種情報表示機器、各種交通手段などから輻射される電磁波によるストレスなど、各種のストレスが増大している。その結果、精神的に不安的な生活を送ることとなり、ひどい場合は不眠になる、熟睡できなくなる、或いは、肩や首のこりなどが激しくなるなど、日常生活に支障をきたす結果となりかねない。
【０００３】
生体に起こるストレスを低減させ、リラックスさせる効果を有する、いわゆる精神安定用具のうち、ダイオードを用いたものとしては、特許文献１においては、ネックレス状の装置で、左右の鎖中にそれぞれカソードが上向きになるように同数のダイオードが直列に挿入されてループ状に接続された構造を有し、体内電流を正常にすることでストレスを低減させる効果を有する装置が提案されている。また、特許文献２には、ベルト中に数個のダイオードを並列に接続した回路を有しており、体に装着した際にアノードとカソードが接続された閉回路となって電磁波を磁気に変換し、その磁気の作用でリラックス効果が得られる装置が提案されている。しかしながら、これらの装置は、ループ状をしていて、生体を取り囲んで使用されるものであり、使用状況が限られる上に小型化が難しく、睡眠時に使用するには、逆に物理的なストレスを生じる可能性がある。また、特許文献１に記載の装置は、これに用いられている導電体の一部を肌に直接触れさせて生体電流を流すしくみとなっており、肌に触れる部分が汗などで腐食したり、また、肌が導電体の金属によるアレルギーなどの症状をおこす恐れがある。
【０００４】
【特許文献１】実用新案公報平７−４９９６０号公報
【特許文献２】登録実用新案３０２２６１０号公報
【発明の開示】
【発明が解決しようとする課題】
【０００５】
斯かる状況に鑑み、本発明は、ダイオードの利用に着目し、生体の周りを取り囲むことなく、ストレスを受ける生体の近傍に設置するだけで、ストレスを低減し、精神を安定させる用具を提供することを課題とする。
【課題を解決するための手段】
【０００６】
本発明者が鋭意研究したところ、意外にも、２個のダイオードを、アノード同士及びカソード同士で導電体により並列接続させたダイオードユニットは、ストレスを低減し、精神を安定化させる効果を有することを発見した。また、２個のダイオードを、一方のアノードと他方のカソード同士で導電体により接続させたダイオードユニットは、より強い精神安定化効果を有することを発見した。また、それぞれの当該ダイオードユニットのアノード同士、カソード同士、及び／又はアノードとカソードとの接続部から導電体を突出させることにより、さらに効果的に精神を安定させ得ることを発見し、本発明を完成するに至った。
【０００７】
すなわち、本発明は２個のダイオードをアノード同士及びカソード同士で導電体により並列接続させたダイオードユニット、及び／又は、２個のダイオードを一方のアノードと他方のカソード同士で導電体により逆並列接続させたダイオードユニットを備え、望ましくは当該ダイオードユニットのアノード同士、カソード同士、及び／又はアノードとカソードとの接続部からさらに導電体を突出させたことを特徴とする精神安定用具を提供することによって、前記課題を解決するものである。
【発明の効果】
【０００８】
本発明の精神安定用具は、生体の近傍に設置するだけで、ストレスを軽減し、精神を安定させることができる。
【発明を実施するための最良の形態】
【０００９】
本発明の精神安定用具の実施の形態につき、以下、実施例に基いて説明する。図１および図２に示すのは、本発明の精神安定用具の実施例として、最も基本的なユニット構造図である。図１および図２において、１はダイオードであり、図１では２個のダイオードがアノード同士及びカソード同士で、図２では２個のダイオードが一方のアノードと他方のカソード同士で導電体により接続されている。精神安定効果が得られる限り、各ダイオードの本体間の接続距離は近いほど望ましく、通常は市販のダイオードの導電体からなるリード線をそのまま、もしくは適宜切断して接続させればよく、好ましくは０．２ｃｍ乃至３ｃｍ、より好ましくは０．３ｃｍ乃至２ｃｍから選ばれる。また、必要ならば、本発明の効果を損ねない範囲で、ダイオード以外の電気素子を組み込んでもよい。
【００１０】
本発明に用いるダイオードは、本発明の機能を損なわない限り、どのような種類を用いてもよく、例えば、スイッチングダイオード、発光ダイオード、可変容量ダイオード、エサキダイオード、ツェナーダイオード、ショットキーバリアダイオードなどを用いることができる。本発明の精神安定用具を小型化するためには、できるだけ小型のダイオードを用いるのが好ましく、通常、スイッチングダイオードが用いられる。
【００１１】
導電体３の材料としては、例えば、鉄、コバルト、ニッケル、白金、銅、銀、金、亜鉛、アルミニウム、錫などの金属若しくはそれらの合金が挙げられ、所望により、鍍金、スパッタリング、真空蒸着、化学蒸着などの方法を施してもよい。導電体３の形状は、通常線状であるが、その形については精神安定効果が得られる限り特に制限はなく、直線状、曲線状、分岐状形状とすることもできる。本発明の精神安定用具を平面状構造とするためには、線状又は平板状の形状のものが有利に利用できる。
【００１２】
また、図１のように２個のダイオードを並列接続させたダイオードユニットのカソード同士の接続部から突出させた導電体としては、アノード同士接続部から突出した導線と同様の導電体材料を利用することができ、所望により、アノード同士接続部から突出した導電体とは異なる導電体材料を選択することもできる。アノード同士及びカソード同士の接続部から突出した導電体は、通常、線状が用いられる。
【００１３】
図３は本発明の精神安定用具を示すユニット構造図であり、本発明を実施するうえで、２個のダイオードの接続部からさらに導電体を突出させた、最も基本的な形態である。１はダイオードを示し、帯の描かれている側がカソードである。３は２個のダイオードの接続部から突出させた導電体を示す。導電体３の長さとしては、適用する器具の大きさや使用形態に応じて適宜決定すればよく、例えば、枕、敷布団などの寝具類に適用する場合、通常、０．２ｃｍ乃至１５ｃｍ、好ましくは０．５ｃｍ乃至１０ｃｍ、さらに好ましくは０．５ｃｍ乃至５ｃｍから選ばれる。
【００１４】
図４は、図３におけるダイオード１及び接続部２を含む部分を絶縁体４により覆った形状を示す模式図である。絶縁体４は本発明の精神安定用具を枕、敷布団などの外部本体に添付して用いる場合、ダイオードが摩擦や衝撃を受け破損する恐れがあるので、それを保護するために設けられる。素材としてはゴム、プラスチック樹脂などの絶縁体材料ならばいかなるものでも利用できる。図５は、図４に示す精神安定用具について、係止具５としてプラスチックシートを適用した場合の断面図である。係止具５の素材としては、必要に応じて適宜選択すればよいものの、導電体３が係止具５により直接接続される場合は、絶縁体材料を用いるのが好ましい。
【００１５】
本発明の精神安定用具の望ましい具体例として、その製造方法について説明すると、２個のダイオードを並列に並べ、アノード同士及びカソード同士で半田などにより接続し、それぞれの接続部から少なくともいずれか１本の導電体を突出させた状態にして、それらを導電体３とする。又は、２個のダイオードを逆並列に並べ、一方のアノードと他方のカソード同士で半田などにより接続し、それぞれの接続部から少なくともいずれか１本の導電体が突出した状態にして、それらを導電体３とする（図３参照）。なお、当該導電体は、ダイオードに付属の導電体（線状）をそのまま利用することも、別途導電体を接続することもできる。また、簡易的な製造として、それぞれのダイオードの導電体（線状）同士を縒り合わせることにより接続して製造することもできる。次に、ダイオードとその周辺部を絶縁体４で被覆し、さらの本発明の精神安定用具を対象の枕や敷布団などの寝具類に取り付けるための適宜の係止具５を装着する。
【００１６】
図６は、本発明の精神安定用具の使用方法の一例を示す模式図である。本発明の精神安定用具は、生体の近傍、望ましくは、０．０１乃至１００ｃｍ、さらに望ましくは０．１乃至５０ｃｍの範囲内で使用すればよく、例えば胸部近傍で使用するペンダントなどのアクセサリーとして用いることができる。したがって、望ましくは、導電体やダイオードが直接肌に触れないように絶縁体素材でできたケースに封入したのち、鎖などを取り付けてペンダントとすることができる。ペンダントに使用する際の精神安定用具において、ダイオードの向きに特に制限はないが、図１のように２個のダイオードが並列接続されたダイオードユニットを有する精神安定用具を使用する場合は、カソード側が頭部から遠くなる向きにするのがより望ましい。
【００１７】
また、本発明の精神安定用具の望ましい具体例として、図３に示したように２個のダイオードをカソード同士及びアノード同士で並列接続して作製したダイオードユニット（以下、ユニットＡという）と、２個のダイオードを一方のカソードと他方のアノード同士で逆並列接続して作製したダイオードユニット（以下、ユニットＢという）とを図７に示したように組み合わせて配置することにより、さらに強い精神安定化効果を得ることができる。ユニットＢの向きに制限はないものの、ユニットＡと組み合わせる際には、ユニットＡと平行にし、又は、ユニットＡのカソード側へ少しずらすのが望ましい。ユニットＡとユニットＢの距離およびずらし幅は、十分な精神安定化効果が得られる限り特に制限はなく、使用状況によって適宜決定すればよい。寝具類に使用する場合、ユニットＡとユニットＢの距離は通常１０ｃｍ以内、望ましくは２ｃｍ乃至８ｃｍで、ずらし幅は通常５ｃｍ以内、望ましくは０．５乃至４ｃｍが好適である。また、実際に寝具類に本用具を使用する場合、精神安定化効果を発揮する限り、装着位置や向きに特に制限はない。例えば、仰向けに寝た場合の頭部右上の枕の裏および敷布団の左足元の位置に、ユニットＡのカソード側が外に向くように取り付けるのが望ましい。また、本発明の精神安定用具は、これらのユニットを３個以上備えることも可能であり、精神安定効果が得られる限りその数及び向きに制限はない。例えば２個のユニットＡと１個のユニットＢを備えた精神安定用具、又は１個のユニットＡと２個のユニットＢを備えた精神安定用具も可能である。
【００１８】
以下、実験例にて本発明の精神安定用具がもたらす効果例を説明する。
【００１９】
＜実験例１＞
本発明による精神安定用具がヒトの肩や首のこりに与える影響を調べるため、成人男女２４名（年齢３５乃至６０歳）によるパネルテストを行なった。すなわち、被験者を無作為に１２人ずつ２つのグループに分け、一方のグループには図６に示したペンダント型の精神安定用具を、就寝時および入浴時以外は首から掛けてもらって、一週間使用してもらった（試験区）。もう一方のグループは、外見は図６と同様に作製したがダイオードを用いていないものを同様に使用してもらった（対照区）。試験終了後、精神安定用具を用いる前と比較して、肩や首のこりが解消されたと感じたかどうかを、それぞれ「軽減」「変化なし」及び「増強」の３段階で評価してもらった。その結果を表１に示す。
【００２０】
【表１】
2009022350.tif 000003
【００２１】
表１の結果から明らかなように、試験区においては、肩のこりについては被験者１２人中９人が、首のこりについては１２人中１０人が、試験前と比較して軽減したと感じたのに対し、対照区においては、肩のこりについては１２人中１１人が、首のこりについては１２人中１０人が、特に軽減したとは感じなかった。これらの結果は、本発明の精神安定用具は、それを使用した人に肩や首のこりの軽減をもたらすことを物語っている。
【００２２】
＜実験例２＞
本発明による精神安定用具がヒトの睡眠に与える影響を調べるため、成人男女３０名（年齢２２乃至６５歳）によるパネルテストを行なった。すなわち、被験者を無作為に１５人ずつ２つのグループに分け、一方のグループには図７に示した精神安定用具を、図８のように各自の使い慣れた寝具に装着し、一週間使用してもらった（試験区）。もう一方のグループは、外見は図７と同様に作製したがダイオードを用いていないものを同様に使用してもらった（対照区）。試験終了後、精神安定用具を用いる前と比較して、深く眠れたと感じたかどうか、および、ストレスを感じることなく快適に目覚めることができたかについて、眠りについては「深い」「普通」及び「浅い」の、目覚めについては「快適」「普通」および「不快」の３段階でそれぞれ評価してもらった。その結果を表２に示す。
【００２３】
【表２】
2009022350.tif 000004
【００２４】
表２の結果から明らかなように、試験区においては被験者１５人中１２人が試験前と比較して眠りが深くなったと感じたのに対し、対照区においては、１５人中１３人は特に眠りが深くなったとは感じなかった。また、目覚め時の気分については、試験区の被験者１５人中１２人が快適だと感じたのに対し、対照区においては、１５人中１４人は、特に快適になったとは感じなかった。これらの結果は、本発明の精神安定用具は、それを使用した人に快適な睡眠をもたらすことを物語っている。
【００２５】
以下、実施例で本発明の詳細を示す。
【実施例１】
【００２６】
＜精神安定用具の製造＞
図３に示すように、スイッチングダイオード（１Ｓ１５８８、株式会社東芝）２個を同方向に、ダイオードの両端から２乃至５ｍｍの位置でアノード同士及びカソード側同士を半田付けにより接続した。導線は露出させておき、アノード側及びカソード側にそれぞれ１本ずつとし、半田付けの位置から長さ２.５ｃｍになるように導線を切断して本発明の精神安定用具を製造した。
【実施例２】
【００２７】
＜ペンダント型精神安定用具＞
図６に示すように、２個のダイオードをアノード同士及びカソード同士で並列接続させたダイオードユニット（ユニットＡ）をプラスチック製フィルムで挟み、さらに絶縁体でできたケースに封入した。これを、首から掛けたときにカソード側が下になるように鎖をとりつけて、ペンダント型精神安定用具を製造した。本装置は、首から胸部近傍に吊り下げるだけで、各種ストレスを低減し、精神を安定化させる効果を有する。
【実施例３】
【００２８】
＜快眠促進寝具＞
図４に示すように、２個のダイオードをカソード同士及びアノード側同士で接続させたダイオードユニット（ユニットＡ）と、２個のダイオードを一方のカソードと他方のアノード同士で接続させたダイオードユニット（ユニットＢ）を、図７に示すように組み合わせて配置し、プラスチック製の自己支持フィルムで挟み込んで固定し、寝具用精神安定用具を作製した。これを、図８下方の敷布団上に配置すると、睡眠中に受けるストレス、又は日中に受けたストレスが低減され、それにより心地よい睡眠をとることができる。
【産業上の利用可能性】
【００２９】
以上説明したごとく、本発明の精神安定用具は、小型で平面状構造にすることのできる簡単なダイオードユニットを備えるものであるにもかかわらず、生体の近傍で使用するだけで、使用者のストレスを減じて精神を安定化させることができるという実益を有する。
【図面の簡単な説明】
【００３０】
【図１】本発明による実施例のユニット構造図である。
【図２】本発明による実施例のユニット構造図である。
【図３】本発明による実施例のユニット構造図である。
【図４】本発明による実施例の模式図である。
【図５】本発明による実施例の模式図である。
【図６】本発明による実施例の使用形態の一例を示す模式図である。
【図７】本発明による実施例の模式図である。
【図８】本発明による実施例の使用形態の一例を示す模式図である。
【符号の説明】
【００３１】
１  ダイオード
２  ダイオードの接続部
３  突出した導電体
４  絶縁体
５  係止具（プラスチックフィルム）
６  樹脂ケース（絶縁体）
７  鎖
８  枕
９  敷布団
１０  精神安定用具
【図１】
2009022350.tif 000005
【図２】
2009022350.tif 000006
【図３】
2009022350.tif 000007
【図４】
2009022350.tif 000008
【図５】
2009022350.tif 000009
【図６】
2009022350.tif 000010
【図７】
2009022350.tif 000011
【図８】
2009022350.tif 000012